(57)【要約】【課題】大型化や展張時における見栄えの低下を招くことなく、スクリーンの平面度を向上し生地の傷や変形が抑えられるスクリーン装置を提供すること。【解決手段】スクリーン装置１は、辺部１１および辺部１２と一対の交差辺部１３とを有するスクリーン１０と、辺部１１を保持しスクリーン１０を巻き取る巻取軸２２と、辺部１２を支持する支持部３０と、一対の交差辺部１３の両外側に配置された一対のワイヤー５０と、スクリーン１０と一対のワイヤー５０とを接続する複数の接続部材５２とを備えたスクリーン装置であって、一対の交差辺部１３は、スクリーン１０の内側に湾曲した形状を有し、少なくとも一対のワイヤー５０を覆うように設けられた緩衝部材６０を備えている。【選択図】図２
2011123233.tif 000002
【特許請求の範囲】
【請求項１】
対向する第１の辺部および第２の辺部と、前記第１の辺部および前記第２の辺部と交差する一対の交差辺部と、を有するスクリーンと、
前記第１の辺部を保持し、前記スクリーンを巻き取る巻取軸と、
前記第２の辺部を支持する支持部と、
前記巻取軸と前記支持部との間に設けられ、前記スクリーンの前記一対の交差辺部の両外側に前記一対の交差辺部に沿って配置された一対の紐状部材と、
前記一対の交差辺部に設けられ、前記スクリーンと前記一対の紐状部材とを接続する複数の接続部材と、を備えたスクリーン装置であって、
前記一対の交差辺部は、前記スクリーンの内側に湾曲した形状を有し、
少なくとも前記一対の紐状部材を覆うように設けられた緩衝部材を備えていることを特徴とするスクリーン装置。
【請求項２】
対向する第１の辺部および第２の辺部と、前記第１の辺部および前記第２の辺部と交差する一対の交差辺部と、を有するスクリーンと、
前記第１の辺部を保持し、前記スクリーンを巻き取る巻取軸と、
前記第２の辺部を支持する支持部と、
前記巻取軸と前記支持部との間に設けられ、前記スクリーンの前記一対の交差辺部の両外側に前記一対の交差辺部に沿って配置された一対の紐状部材と、
前記一対の交差辺部に設けられ、前記スクリーンと前記一対の紐状部材とを接続する複数の接続部材と、を備えたスクリーン装置であって、
前記一対の交差辺部は、前記スクリーンの内側に湾曲した形状を有し、
前記第１の辺部および前記第２の辺部は互いに略平行であり、
前記スクリーンの投写面側および当該投写面側と反対側の少なくとも一方に設けられており、前記第１の辺部および前記第２の辺部と略直交する方向に沿って帯状に配置され、前記紐状部材および前記接続部材を覆う緩衝部材を備えていることを特徴とするスクリーン装置。
【請求項３】
請求項１または２に記載のスクリーン装置であって、
前記緩衝部材の厚さは、前記紐状部材の厚さよりも厚いことを特徴とするスクリーン装置。
【発明の詳細な説明】
【技術分野】
【０００１】
本発明は、スクリーン装置に関する。
【背景技術】
【０００２】
スクリーンを使用するときには展張し使用しないときには巻き取って収納するスクリーン装置が知られている。このようなスクリーン装置の一つとして、スクリーンを巻き取る方向と交差する方向（以下では交差方向とも呼ぶ）に位置する一対の交差辺が内側に湾曲した形状のスクリーンと、各交差辺に設けられた管状部材と、各交差辺に沿って管状部材に挿通される紐状部材と、各紐状部材に対して各交差辺に沿って張力を付加する機構とを備えたスクリーン装置が提案されている（例えば、特許文献１参照）。
【０００３】
このスクリーン装置の構成によれば、各紐状部材に対して交差辺に沿って張力が付加されることにより、スクリーンに対してスクリーンを巻き取る方向だけでなく交差方向に沿っても張力が付加されるので、スクリーンの平面度を向上できる。
【先行技術文献】
【特許文献】
【０００４】
【特許文献１】特開２００９−２２９９１５号公報
【発明の概要】
【発明が解決しようとする課題】
【０００５】
このようなスクリーン装置では、スクリーンが巻き取られたときに、スクリーンの湾曲した交差辺に沿って配置された紐状部材がスクリーンの生地に接触して傷が付いたり、紐状部材に起因する段差によりスクリーンの生地に窪み等の変形が生じたりするという課題があった。
【０００６】
そこで、特許文献１では、交差方向における管状部材の長さを長く設定することで紐状部材をスクリーンの交差辺間の幅が最も大きい部分よりも外側に配置し、スクリーンが巻き取られたときに紐状部材がスクリーンと重ならないようにして、スクリーンの生地の傷や変形を防止する構成としたスクリーン装置を提案している。
【０００７】
しかしながら、このようなスクリーン装置の構成では、スクリーンの生地の傷や変形は防止できるものの、紐状部材がスクリーンの交差辺に対してより外側に離れて配置されるため、スクリーン装置が大型化してしまうという課題があった。また、スクリーンの交差辺の両側に設けられた管状部材の交差方向における長さが長くなるため、スクリーンの展張時における見栄えが低下するという課題があった。
【課題を解決するための手段】
【０００８】
本発明は、上述の課題の少なくとも一部を解決するためになされたものであり、以下の形態または適用例として実現することが可能である。
【０００９】
［適用例１］本適用例に係るスクリーン装置は、対向する第１の辺部および第２の辺部と、前記第１の辺部および前記第２の辺部と交差する一対の交差辺部と、を有するスクリーンと、前記第１の辺部を保持し、前記スクリーンを巻き取る巻取軸と、前記第２の辺部を支持する支持部と、前記巻取軸と前記支持部との間に設けられ、前記スクリーンの前記一対の交差辺部の両外側に前記一対の交差辺部に沿って配置された一対の紐状部材と、前記一対の交差辺部に設けられ、前記スクリーンと前記一対の紐状部材とを接続する複数の接続部材と、を備えたスクリーン装置であって、前記一対の交差辺部は、前記スクリーンの内側に湾曲した形状を有し、少なくとも前記一対の紐状部材を覆うように設けられた緩衝部材を備えていることを特徴とする。
【００１０】
この構成によれば、一対の紐状部材は、スクリーンを巻き取る巻取軸と支持部との間に設けられているので、スクリーンが展張されるとスクリーンと同様に各紐状部材にもスクリーンを巻き取る方向に沿った張力が付加される。各紐状部材は内側に湾曲した形状を有するスクリーンの一対の交差辺部の両外側に各交差辺部に沿って配置されているので、スクリーンには複数の接続部材を介してさらにスクリーンを巻き取る方向と交差する交差方向に沿った張力も付加される。これにより、スクリーンにおいて交差辺部側に巻き癖が生じたり皺ができたりすることが抑えられるので、スクリーンの平面度を向上させることができる。
【００１１】
また、各紐状部材がスクリーンとともに巻取軸に巻き取られてスクリーンと重なっても、紐状部材を覆う緩衝部材がスクリーンとの間に介在するため、紐状部材とスクリーンの生地との接触が避けられる。このため、各紐状部材を各交差辺部により近付けて配置することができるので、接続部材の交差方向における長さを短くできる。これにより、紐状部材がスクリーンの生地に接触して傷が付くことを抑えながら、スクリーン装置の大型化とスクリーンの展張時における見栄えの低下を抑えることができる。
【００１２】
［適用例２］本適用例に係るスクリーン装置は、対向する第１の辺部および第２の辺部と、前記第１の辺部および前記第２の辺部と交差する一対の交差辺部と、を有するスクリーンと、前記第１の辺部を保持し、前記スクリーンを巻き取る巻取軸と、前記第２の辺部を支持する支持部と、前記巻取軸と前記支持部との間に設けられ、前記スクリーンの前記一対の交差辺部の両外側に前記一対の交差辺部に沿って配置された一対の紐状部材と、前記一対の交差辺部に設けられ、前記スクリーンと前記一対の紐状部材とを接続する複数の接続部材と、を備えたスクリーン装置であって、前記一対の交差辺部は、前記スクリーンの内側に湾曲した形状を有し、前記第１の辺部および前記第２の辺部は互いに略平行であり、前記スクリーンの投写面側および当該投写面側と反対側の少なくとも一方に設けられており、前記第１の辺部および前記第２の辺部と略直交する方向に沿って帯状に配置され、前記紐状部材および前記接続部材を覆う緩衝部材を備えていることを特徴とする。
【００１３】
この構成によれば、スクリーンの平面度を向上させるとともに、紐状部材がスクリーンの生地に接触して傷が付くことを抑えながら、スクリーン装置の大型化とスクリーンの展張時における見栄えの低下を抑えることができる。
【００１４】
さらに、この構成によれば、スクリーンの各交差辺部において一対の紐状部材および複数の接続部材の投写面側が緩衝部材で覆われる。このため、スクリーンの投写面側から紐状部材や接続部材が視認されないので、スクリーン展張時におけるスクリーン装置の見栄えを向上させることができる。また、互いに略平行な第１の辺部および第２の辺部と略直交する方向に沿ってスクリーンの緩衝部材が帯状に配置されているので、投写面側に露出するスクリーンの形状を略矩形にすることができる。これにより、スクリーンの投写面に表示される画像が引き締まり鑑賞効果が向上する。
【００１５】
［適用例３］上記適用例に係るスクリーン装置であって、前記緩衝部材の厚さは、前記紐状部材の厚さよりも厚いことが好ましい。
【００１６】
この構成によれば、緩衝部材の厚さが紐状部材の厚さよりも厚いので、緩衝部材の厚さの範囲内で紐状部材に起因する段差を緩和できる。これにより、紐状部材に起因する段差によるスクリーンの生地の変形をより効果的に抑えることができる。
【図面の簡単な説明】
【００１７】
【図１】第１の実施形態に係るスクリーン装置の概略構成を説明する図。
【図２】第１の実施形態に係るスクリーン装置の概略構成を説明する図。
【図３】巻取軸の端部を示す模式図。
【図４】支持部における固定部を示す模式図。
【図５】接続部材の近傍部分の拡大模式図。
【図６】第２の実施形態に係るスクリーン装置の概略構成を説明する図。
【発明を実施するための形態】
【００１８】
以下に、本実施の形態について図面を参照して説明する。なお、参照する各図面において、構成をわかりやすく示すため、各構成要素の寸法の比率、角度等は適宜異ならせてある。
【００１９】
（第１の実施形態）
まず、第１の実施形態に係るスクリーン装置の概略構成について説明する。図１および図２は、第１の実施形態に係るスクリーン装置の概略構成を説明する図である。詳しくは、図１はスクリーン装置を展張状態において正面側から見た模式図であり、図２はスクリーン装置を展張状態において背面側から見た模式図である。なお、図２では、収納部２０を透視している。
【００２０】
また、図３は、ワイヤーおよび巻取軸の端部を示す模式図である。図４は、支持部における固定部を示す模式図である。図５は、接続部材の近傍部分の拡大模式図である。なお、図３、図４、および図５では、スクリーン装置１の左右方向における両端部のうち一方の端部側が示されているが、他方の端部側においても同様の構成を有している。
【００２１】
図１に示すように、第１の実施形態に係るスクリーン装置１は、スクリーン１０と、巻取軸２２を有する収納部２０と、支持部３０と、連結機構４０と、一対の紐状部材としてのワイヤー５０と、複数の接続部材５２と、ワイヤー５０を覆う緩衝部材６０と、を備えている。スクリーン装置１は、使用時にスクリーン１０が引き出されて展張され、非使用時にはスクリーン１０が巻取軸２２に巻き取られて収納部２０内に収納されるスクリーン装置である。ここでは、スクリーン装置１が斜線部で示す床面に設置される場合を例にとり説明する。
【００２２】
なお、以下では、スクリーン装置１が設置される床面側を下方とも呼び天井面側を上方とも呼ぶ。スクリーン装置１の使用時において、スクリーン１０が上方に伸ばされて略平坦になり投写面が形成された状態を展張状態とも呼ぶ。また、スクリーン１０の展張状態において、投写面側を正面、投写面とは反対側を背面、正面側から見て右側を右、正面側から見て左側を左とも呼ぶ。
【００２３】
スクリーン１０は、可撓性を有する反射型スクリーンであり、例えば、プロジェクター等から投写される画像光を、正面側に露出する投写面にて反射することにより画像を表示させる。スクリーン１０は、互いに対向する第１の辺部としての辺部１１および第２の辺部としての辺部１２と、一対の交差辺部１３とを有している。辺部１１および辺部１２は、互いに略平行である。辺部１１は巻取軸２２に保持され、辺部１２は支持部３０に保持されている。
【００２４】
一対の交差辺部１３は、辺部１１および辺部１２と交差するとともに、左右方向に互いに対向するように位置している。また、一対の交差辺部１３は、スクリーン１０の内側に湾曲した形状を有している。つまり、スクリーン１０の交差辺部１３同士の間の幅は、上下方向の中央部において最も狭く、辺部１１側および辺部１２側に向かうにしたがって広くなっている。
【００２５】
スクリーン１０の辺部１１側は、正面側から見て収納部２０に覆われている。スクリーン１０において、正面側から視認される辺部１１側の境界を境界線１１ａと呼ぶ。境界線１１ａは、辺部１１に略平行である。境界線１１ａの長さは、例えば、辺部１２の長さと同じである。境界線１１ａと辺部１２と一対の交差辺部１３とで囲まれた部分が、スクリーン１０の投写面である。スクリーン１０の投写面は、左右対称かつ回転対称な形状であることが好ましい。
【００２６】
スクリーン１０の投写面において、交差辺部１３同士の間が最も狭い部分の幅をＷ１とし、交差辺部１３同士の間が最も広い境界線１１ａおよび辺部１２における幅をともにＷ２とする。一般的にプロジェクター等から投写されスクリーン１０の投写面に表示される画像は矩形であるので、スクリーン１０の投写面のうち左右方向の幅をＷ１とする矩形状の部分１０ａが、実質的に画像の表示に寄与する領域である。ここでは、この矩形状の部分１０ａを表示領域１０ａとも呼ぶ。例えば、スクリーン１０が１００インチの画像に対応する表示領域１０ａを有する場合、幅Ｗ２は幅Ｗ１よりも１５０ｍｍ程度大きくなる。
【００２７】
図２に示すように、収納部２０は、スクリーン装置１が設置される床面側に位置している。収納部２０は、巻取軸２２と、中心軸２４と、張力付加機構２６と、一対の軸受部２８と、を有している。巻取軸２２は、辺部１１に沿って延在するように筒状に形成されており、スクリーン１０の辺部１１を保持している。巻取軸２２は、スクリーン１０を巻き取る軸である。巻取軸２２の延在方向における両端には、巻取軸２２を回転自在に軸支する軸受部２８が配置されている。
【００２８】
中心軸２４は、巻取軸２２に内挿されており、巻取軸２２と同様に辺部１１に沿って延在している。中心軸２４は、巻取軸２２と同一の回転軸を有しており、巻取軸２２の回転に伴って回転する。張力付加機構２６は、中心軸２４をスクリーン１０が巻き取られる方向に付勢するスプリングコイルを備えている。なお、スプリングコイルは、一般的に用いられる構成であり、ここでは図示を省略する。スプリングコイルは、中心軸２４を覆うように設けられている。
【００２９】
張力付加機構２６は、スクリーン１０が引き出される方向に巻取軸２２（中心軸２４）が回転されると、スクリーン１０が巻き取られる方向に中心軸２４を回転させる付勢力を生じさせる。そのため、スクリーン１０が展張される際には、張力付加機構２６の付勢力によりスクリーン１０に対して上下方向に沿って張力が付加される。また、スクリーン１０が収納される際には、張力付加機構２６の付勢力により、スクリーン１０が巻取軸２２に巻き取られる。
【００３０】
支持部３０は、スクリーン１０の辺部１２に沿って延在し、辺部１２を支持している。支持部３０は、その延在方向における両端部側に、ワイヤー５０を固定する固定部３２を有している。固定部３２の構成については、後述する。
【００３１】
連結機構４０は、収納部２０と支持部３０との間に架設されており、スクリーン１０の背面側に配置されている。連結機構４０は、所謂パンタグラフ機構である。連結機構４０は、例えば、互いに回動自在に連結された二対（４本）のアーム４２を有している。下側に位置する一対のアーム４２における下側の先端部４４は、それぞれ収納部２０に回転自在に取り付けられている。上側に位置する一対のアーム４２における上側の先端部４６は、それぞれ支持部３０に回転自在に取り付けられている。
【００３２】
このように、連結機構４０は、収納部２０に２箇所で支持されるとともに、支持部３０を２箇所で支持している。したがって、支持部３０が１箇所で支持される場合に比べて、支持部３０の延在方向両端部側における撓みが抑えられるとともに、収納部２０（巻取軸２２）に対する支持部３０の捩れが抑えられる。これにより、支持部３０の撓みや捩れに起因するスクリーン１０の平面度の低下を抑えることができる。
【００３３】
連結機構４０は、手動または電動により、互いに連結されたアーム４２が屈伸することで、上下方向に沿って伸縮する。この連結機構４０の伸縮により、収納部２０（巻取軸２２）と支持部３０とが近接隔離されるので、スクリーン１０の展張と収納とを行うことができる。
【００３４】
一対のワイヤー５０は、巻取軸２２と支持部３０との間に設けられており、スクリーン１０の一対の交差辺部１３の両外側に各交差辺部１３に沿って配置されている。図３に示すように、各ワイヤー５０における巻取軸２２（中心軸２４）側の端部には、環状部５０ａが形成されている。図３においてワイヤー５０の環状部５０ａの他端側に断面を示すように、ワイヤー５０は、例えば略円形の断面を有している。ワイヤー５０は、弾性を有する材料からなり、例えば金属等からなる。ワイヤー５０の厚さ、すなわち直径は、例えば、０．５ｍｍ〜１．０ｍｍ程度である。
【００３５】
緩衝部材６０は、各ワイヤー５０の周囲を覆うように設けられている。緩衝部材６０の厚さは、例えば、ワイヤー５０の直径と同程度である。緩衝部材６０は、柔軟性を有する材料からなる。緩衝部材６０の材料としては、例えば、発泡ウレタン等の発泡樹脂、発泡ゴム、フェルト等の柔らかい布等を用いることができる。緩衝部材６０は、ワイヤー５０の周囲に巻き付けられていてもよいし、ワイヤー５０の周囲に吹き付けるようにして形成されていてもよい。緩衝部材６０は、例えば、ワイヤー５０における巻取軸２２側の端部および支持部３０側の端部を除く部分に設けられている。
【００３６】
図２に示すように、接続部材５２は、スクリーン１０の各交差辺部１３に沿って複数個所に設けられている。接続部材５２は、各交差辺部１３においてスクリーン１０と各ワイヤー５０とを接続している。各ワイヤー５０は、スクリーン１０に対し、接続部材５２を介して交差方向に沿って各交差辺部１３の外側に向かう張力を付加する。このように、ワイヤーおよび接続部材によりスクリーンに対して交差方向に張力を付加する構成を有するスクリーン装置を、ここではタブテンションスクリーン装置と呼ぶ。
【００３７】
次に、ワイヤー５０を固定する構成、およびワイヤー５０によりスクリーン１０に張力を付加するための構成について説明する。
【００３８】
図３に示すように、巻取軸２２の延在方向における両端部には、切欠き部２２ａが設けられている。切欠き部２２ａは、例えば、巻取軸２２の端部から延在方向に沿って切り欠かれた後、巻取軸２２の回転方向に沿って切り欠かれた形状を有している。ワイヤー５０の巻取軸２２側の端部は、切欠き部２２ａを介して巻取軸２２の内側に通され、環状部５０ａが中心軸２４に挿通されることで摺動自在に支持されている。ワイヤー５０は、スクリーン１０を収納する際には、スクリーン１０とともに巻取軸２２に巻き取られる。
【００３９】
図４に示すように、固定部３２は、支持部３０に設けられた雌ネジ部３４と、雌ネジ部３４に挿通されるネジ３６とで構成されている。ネジ３６の先端部分には、ワイヤー５０の支持部３０側の端部が固定されている。固定部３２において、ネジ３６を回転させることで、ワイヤー５０における支持部３０側の端部の位置を上下方向に移動させて調整することができる。
【００４０】
図５に示すように、接続部材５２は、各交差辺部１３に沿って貫通する管状に形成された部材である。接続部材５２は、例えば、可撓性を有する略台形状の２つの部材５４で構成されている。２つの部材５４は、スクリーン１０を挟み込むように、各部材５４における長辺（台形の下底）側の端部がスクリーン１０に縫い付けられて固定されている。また、各部材５４における短辺（台形の上底）側の端部は、例えば、金属材料や合成樹脂等からなる留め具５６にて互いに貼り合わされている。そして、２つの部材５４の間には緩衝部材６０に覆われたワイヤー５０が挿通されている。
【００４１】
上述の通り、各ワイヤー５０は、各交差辺部１３の外側に配置され、巻取軸２２および支持部３０にて両端を支持されている。そのため、連結機構４０により巻取軸２２と支持部３０とが互いに隔離されることで、各ワイヤー５０のそれぞれに対して各交差辺部１３に沿って張力が付加される。なお、各ワイヤー５０の長さは、連結機構４０により巻取軸２２と支持部３０とを隔離した状態において、各ワイヤー５０に所定の張力が付加されるように各固定部３２において調整されている（図２参照）。
【００４２】
各ワイヤー５０に所定の張力が付加された状態では、接続部材５２に挿通された各ワイヤー５０が留め具５６に当接し、各交差辺部１３における複数個所に設けられた接続部材５２のそれぞれには、交差方向に沿って交差辺部１３の外側に向かう張力が付加される。これにより、接続部材５２を介して、スクリーン１０に対し左右方向に沿って張力が付加される。
【００４３】
仮に接続部材５２が各交差辺部１３における１箇所に設けられている場合は、張力が１箇所に集中して付加されるため、スクリーン１０に皺が生じ易くなる。また、接続部材５２の長さが各交差辺部１３の長さと同じである場合は、接続部材５２に皺が生じ易くなり、その結果スクリーン１０に皺が生じるおそれがある。本実施形態に係るスクリーン装置１では、接続部材５２が各交差辺部１３における複数個所に設けられているので、スクリーン１０に対して複数の部分に分散して張力が付加される。これにより、スクリーン１０に皺が生じ難くなる。
【００４４】
このように、スクリーン装置１では、展張状態において、スクリーン１０に対して上下方向に沿って張力が付加されるとともに、左右方向に沿っても張力が付加される。さらに、スクリーン１０は上下方向の中央部が湾曲するとともに左右対称かつ回転対称な形状であるので、これらの結果、スクリーン１０の中心から外周に向かって放射状に張力が付加される。これにより、スクリーン１０に巻き癖や皺が生じることが抑えられるので、スクリーン１０の平面度を向上させることができる。
【００４５】
スクリーン装置１のようなタブテンションスクリーン装置では、スクリーン１０の収納時には、スクリーン１０とともに接続部材５２およびワイヤー５０も一緒に巻取軸２２に巻き取られた状態で収納される。ここで、スクリーン１０の幅が辺部１１および辺部１２よりも中央部において狭くなっており、各ワイヤー５０が各交差辺部１３に沿って配置されているので、左右方向においてスクリーン１０の幅よりもワイヤー５０同士の間の幅が狭い部分が存在する。
【００４６】
そのため、巻取軸２２に巻き取られた状態においては、スクリーン１０とワイヤー５０とが重なる箇所が生じてしまう。このような箇所において、ワイヤー５０がスクリーン１０に接触すると、スクリーン１０の生地に傷が付くおそれがある。スクリーン１０の生地に傷が付くと、展張時におけるスクリーン１０の見栄えが低下するだけでなく、傷の部分で光の反射が不均一となり投写面に表示される画像の表示品質が低下することとなる。
【００４７】
これを避ける一つの方法として、特許文献１に記載されたスクリーン装置では、交差辺部１３同士の間の幅Ｗ１と幅Ｗ２（図１参照）との差の半分の長さよりも、各交差辺部１３から留め具５６までの長さが長くなるように、接続部材５２の部材５４の高さが設定されている。ここで、部材５４の高さとは、部材５４の短辺（台形の上底）と長辺（台形の下底）との間の距離を意味している。
【００４８】
例えば、交差辺部１３同士の間の幅Ｗ１と幅Ｗ２との差が１５０ｍｍ（片側が７５ｍｍ）である場合、各交差辺部１３から留め具５６までの長さは７５ｍｍよりも長く設定される。さらに、各交差辺部１３から留め具５６までの長さを７５ｍｍにワイヤー５０の直径を加えた長さよりも長く設定すれば、ワイヤー５０同士の間の幅の最も狭い部分は、スクリーン１０の左右方向における幅が最も広い境界線１１ａおよび辺部１２よりも外側に配置される。そのため、巻取軸２２に巻き取られた状態においてスクリーン１０とワイヤー５０とが重なる箇所が生じないので、スクリーン１０とワイヤー５０との接触が避けられる。
【００４９】
しかしながら、このような構成であると、各ワイヤー５０が、スクリーン１０の各交差辺部１３に対してより外側に配置されるため、巻取軸２２および支持部３０の延在方向（左右方向）における長さがより長くなり、スクリーン装置がより大型化することとなる。上述のような設定の場合、巻取軸２２および支持部３０の左右方向における長さはスクリーン１０に対して少なくとも１５０ｍｍ（片側が７５ｍｍ）長くなる。また、スクリーン１０の表示領域１０ａ（図１参照）に対しては、各ワイヤー５０が左右方向において３００ｍｍ以上外側に位置することとなる。
【００５０】
このように、ワイヤー５０がスクリーン１０の交差辺部１３からより離れて配置されるとともに、各交差辺部１３から留め具５６までの長さが長くなるため接続部材５２がより大きくなることとなり、スクリーン１０の展張時における見栄えが低下する。
【００５１】
これに対して、本実施形態に係るスクリーン装置１では、一対のワイヤー５０のそれぞれが緩衝部材６０に覆われている。このため、ワイヤー５０がスクリーン１０とともに巻取軸２２に巻き取られた状態においてスクリーン１０とワイヤー５０とが重なっても、スクリーン１０とワイヤー５０との間には緩衝部材６０が介在するので、ワイヤー５０とスクリーン１０の生地との接触が避けられる。
【００５２】
したがって、各ワイヤー５０をスクリーン１０の各交差辺部１３により近付けて配置することができるので、接続部材５２の部材５４の高さ（左右方向における長さ）をより小さくできる。これにより、ワイヤー５０がスクリーン１０の生地に接触して傷が付くことを抑えながら、スクリーン装置１の大型化とスクリーン１０の展張時における見栄えの低下を抑えることができる。
【００５３】
以上、第１の実施形態に係るスクリーン装置１の構成によれば、次の効果が得られる。
【００５４】
（１）展張状態において、スクリーン１０に対して、上下方向および左右方向に沿って張力が付加されるとともに、中心から外周に向かって放射状に張力が付加される。これにより、スクリーン１０に巻き癖が生じることや投写面に皺ができることが抑えられるので、スクリーン１０の平面度を向上させることができる。
【００５５】
（２）各ワイヤー５０が緩衝部材６０に覆われているため、スクリーン１０が巻取軸２２に巻き取られてワイヤー５０と重なっても、ワイヤー５０はスクリーン１０に接触しない。これにより、スクリーン装置１の大型化やスクリーン１０の展張時における見栄えの低下を招くことなく、スクリーン１０の生地に傷が付くことを抑えることができる。
これらにより、スクリーン装置１の見栄えを向上するとともに、スクリーン１０の投写面に表示される画像の表示品質低下を抑えることができる。
【００５６】
（第２の実施形態）
次に、第２の実施形態に係るスクリーン装置について図を参照して説明する。図６は、第２の実施形態に係るスクリーン装置の概略構成を説明する図である。詳しくは、図６は、スクリーン装置を展張状態において正面側から見た模式図である。
【００５７】
第２の実施形態に係るスクリーン装置は、第１の実施形態に係るスクリーン装置に対して、緩衝部材の構成および配置が異なっているが、その他の構成は同じである。第１の実施形態と共通する構成要素については、同一の符号を付しその説明を省略する。
【００５８】
図６に示すように、第２の実施形態に係るスクリーン装置２は、スクリーン１０と、巻取軸２２を有する収納部２０と、支持部３０と、連結機構４０と、一対のワイヤー５０と、複数の接続部材５２と、一対の緩衝部材６２と、を備えている。
【００５９】
各緩衝部材６２は、スクリーン１０の正面側に、例えばテープ状に設けられており、一対の交差辺部１３のそれぞれの側で、ワイヤー５０および複数の接続部材５２の正面側を覆っている。また、各緩衝部材６２は、辺部１１および辺部１２と略直交する方向に沿った帯状の形状を有しており、スクリーン１０の投写面における表示領域１０ａの左右両側に沿って配置されている。
【００６０】
したがって、スクリーン１０の投写面のうち、表示領域１０ａの左右両外側の領域、すなわち巻取軸２２に巻き取られたときにワイヤー５０および接続部材５２と重なる領域が緩衝部材６２によって覆われている。各緩衝部材６２の左右方向における幅は、例えば、交差辺部１３同士の間の幅Ｗ１と幅Ｗ２との差が１５０ｍｍ（片側が７５ｍｍ）である場合、１００ｍｍ程度である。
【００６１】
緩衝部材６２は、第１の実施形態における緩衝部材６０と同様に、柔軟性を有する材料からなる。緩衝部材６２の巻取軸２２側および支持部３０側における両端部は、例えば、両面接着テープや接着剤等により、巻取軸２２および支持部３０に固着されている。
【００６２】
第２の実施形態に係るスクリーン装置２では、ワイヤー５０だけでなく接続部材５２も緩衝部材６２に覆われているので、スクリーン１０とともに巻取軸２２に巻き取られたとき、ワイヤー５０だけでなく接続部材５２とスクリーン１０の生地との接触も避けられる。これにより、スクリーン１０の生地に傷が付くことをより効果的に抑えることができる。
【００６３】
ここで、各交差辺部１３の外側には、ワイヤー５０と接続部材５２との段差や、ワイヤー５０および接続部材５２がある部分とない部分との段差が存在するが、スクリーン１０とともに巻取軸２２に巻き取られた状態においては、これらの段差がスクリーン１０の生地に反映されて窪み等の変形が生じる場合がある。スクリーン１０の生地に変形が生じると、展張時におけるスクリーン１０の見栄えが低下するだけでなく、変形した部分で反射が不均一となり投写面に表示される画像の表示品質が低下する。
【００６４】
スクリーン装置２では、スクリーン１０とともに巻取軸２２に巻き取られた状態において、柔軟性を有する材料からなる緩衝部材６２がワイヤー５０および接続部材５２とスクリーン１０との間に介在するので、これらの段差が緩衝部材６２により緩和される。これにより、スクリーン１０の生地に変形が生じることが抑えられる。これらの結果、スクリーン１０の投写面に表示される画像の表示品質低下をより効果的に抑えることができる。
【００６５】
緩衝部材６２の厚さは、ワイヤー５０の直径よりも厚いことが好ましい。このような構成にすれば、緩衝部材６２の厚さの範囲内でワイヤー５０に起因する段差を良好に緩和できる。また、緩衝部材６２の厚さは、ワイヤー５０の直径と接続部材５２（２つの部材５４）の厚さとの合計よりも厚いことがより好ましい。このような構成にすれば、ワイヤー５０と接続部材５２とが重なる部分に起因する段差についても緩衝部材６２の厚さの範囲内で良好に緩和できる。例えば、ワイヤー５０の直径が０．５ｍｍ〜１．０ｍｍ程度である場合、緩衝部材６２の厚さは１．５ｍｍ〜２．０ｍｍ程度とすることができる。
【００６６】
また、スクリーン装置２では、緩衝部材６２が、ワイヤー５０および接続部材５２の正面側を覆っているので、正面側からはワイヤー５０および接続部材５２が視認されない。このため、展張時におけるスクリーン装置２の見栄えがより向上する。また、スクリーン１０の投写面における表示領域１０ａが、収納部２０および支持部３０と一対の緩衝部材６２とによりあたかも額縁のように囲まれる。これにより、スクリーン１０の投写面に表示される画像が引き締まり鑑賞効果が向上する。
【００６７】
さらに、スクリーン１０の投写面のうち表示領域１０ａ以外の領域、すなわち実質的に画像の表示に寄与しない領域が緩衝部材６２に覆われる。この表示領域１０ａ以外の領域が露出していると、外光や室内光等の画像光以外の不要な光が反射されることで、表示領域１０ａに表示される画像のコントラストが相対的に低下することがある。スクリーン装置２では、この実質的に画像の表示に寄与しない領域が緩衝部材６２に覆われるので、表示領域１０ａに表示される画像の相対的なコントラスト低下を抑えることができる。
【００６８】
なお、緩衝部材６２、収納部２０、および支持部３０の色は同じ色、例えば、黒色、あるいはダークグレー等の黒に近い色であることが好ましい。このような構成によれば、投写面に表示される画像を引き締める視覚的効果が増大されるとともに、緩衝部材６２、収納部２０、および支持部３０における画像光以外の光の反射が抑えられる。
【００６９】
第２の実施形態に係るスクリーン装置２の構成によれば、第１の実施形態における効果に加えて、次の効果が得られる。
【００７０】
（１）ワイヤー５０および接続部材５２が緩衝部材６２に覆われているので、ワイヤー５０だけでなく接続部材５２もスクリーン１０に接触しない。このため、スクリーン１０の生地に傷が付くことをより効果的に抑えることができる。
【００７１】
（２）緩衝部材６２によりワイヤー５０および接続部材５２に起因する段差が緩和されるので、スクリーン１０が巻取軸２２に巻き取られた状態において、スクリーン１０の生地に窪み等の変形が生じることが抑えられる。
【００７２】
（３）緩衝部材６２がスクリーン１０の正面側に配置されることにより、正面側からワイヤー５０および接続部材５２が視認されないので、展張時におけるスクリーン装置２の見栄えがより向上する。
【００７３】
（４）収納部２０および支持部３０と、表示領域１０ａの左右両側に沿って帯状に配置された緩衝部材６２とで、表示領域１０ａが額縁状に囲まれるので、スクリーン１０の投写面に表示される画像が引き締まり鑑賞効果が向上する。
【００７４】
（５）スクリーン１０の投写面のうち表示領域１０ａ以外の領域が緩衝部材６２に覆われるので、この実質的に画像の表示に寄与しない領域における不要な光の反射が抑えられる。
これらにより、スクリーン装置２の見栄えがより向上するとともに、スクリーン１０の投写面に表示される画像の表示品質低下をより効果的に抑えることができる。
【００７５】
以上、本発明の実施形態について説明したが、上記実施形態に対しては、本発明の趣旨から逸脱しない範囲で様々な変形を加えることができる。変形例としては、例えば以下のようなものが考えられる。
【００７６】
（変形例１）
上記第２の実施形態のスクリーン装置２では、緩衝部材６２がスクリーン１０の正面側に設けられていたが、これに限定されない。緩衝部材６２は、スクリーン１０の背面側に設けられていてもよいし、スクリーン１０の正面側および背面側の双方に設けられていてもよい。また、緩衝部材６２は、ワイヤー５０および複数の接続部材５２に固着されていてもよい。
【００７７】
（変形例２）
上記実施形態のスクリーン装置１，２では、スクリーン装置が床面に設置される構成であり、床面側に収納部２０が配置され天井面側に支持部３０が配置されていたが、これに限定されない。スクリーン装置１，２を天井面に設置し、天井面側に収納部２０が配置され床面側に支持部３０が配置される構成としてもよい。なお、スクリーン装置１，２を天井面に設置する場合は、支持部３０の重量を重くすることで、スクリーン１０に対して上下方向に沿って張力を付加することができる。このような構成であっても、床面に設置される場合と同様の効果を得ることができる。
【００７８】
（変形例３）
上記実施形態のスクリーン装置１，２では、連結機構４０が二対のアーム４２を有し、支持部３０を２箇所で支持する構成であったが、これに限定されない。一対または３対以上のアーム４２を有する構成であってもよいし、支持部３０を１箇所または３箇所以上で支持する構成であってもよい。
【００７９】
（変形例４）
上記実施形態のスクリーン装置１，２では、スクリーン１０は、上下方向の中央部において互いに対向する側に湾曲した形状を有していたが、これに限定されない。スクリーン１０は、辺部１１側の端部および辺部１２側のいずれか一方の端部に対して、中央部において湾曲した形状、例えば、台形状を有していてもよい。
【００８０】
（変形例５）
上記実施形態のスクリーン装置１，２では、接続部材５２が２つの台形状の部材５４を貼り合せた構成を有していたが、これに限定されない。部材５４の形状および長さはどのように設定されていてもよい。また、一つの部材５４をワイヤー５０を間に挟むように折り返して接続部材５２を構成してもよい。
【符号の説明】
【００８１】
１，２…スクリーン装置、１０…スクリーン、１１…第１の辺部としての辺部、１２…第２の辺部としての辺部、１３…一対の交差辺部、２２…巻取軸、３０…支持部、５０…一対の紐状部材としてのワイヤー、５２…接続部材、６０，６２…緩衝部材。
【図１】
2011123233.tif 000003
【図２】
2011123233.tif 000004
【図３】
2011123233.tif 000005
【図４】
2011123233.tif 000006
【図５】
2011123233.tif 000007
【図６】
2011123233.tif 000008